(57)【要約】      （修正有）【課題】複数の遊技機に電力を供給する電源ラインの異常を判定するシステムを提供する。【解決手段】複数の遊技機に電力を供給する電源ラインへの電力の供給が開始されてから第１期間内に電源ラインに流れる電流の電流値に基づいて、電源ラインの異常を判定するための第１閾値を設定する設定部と、第１期間の後に電源ラインに流れる電流の電流値と第１閾値とに基づいて、電源ラインの異常を判定する判定部とを備える。【選択図】図１０
2019115435.tif 000002
【特許請求の範囲】
【請求項１】
複数の遊技機に電力を供給する電源ラインへの電力の供給が開始されてから第１期間内に前記電源ラインに流れる電流の電流値に基づいて、前記電源ラインの異常を判定するための第１閾値を設定する設定部と、
前記第１期間の後に前記電源ラインに流れる電流の電流値と前記第１閾値とに基づいて、前記電源ラインの異常を判定する判定部と
を備える異常判定装置。
【請求項２】
前記電源ラインからの電力は、複数の台間機及び複数の台ランプにさらに供給され、
前記複数の遊技機、前記複数の台間機、及び前記複数の台ランプにより、遊技機島が構成され、
前記設定部は、前記電源ラインへの電力の供給が開始されてから、前記複数の遊技機により実行される初期動作が終了するまでの期間、前記複数の台間機により実行される初期動作が終了するまでの期間及び前記複数の台ランプにより実行される初期動作が終了するまでの期間の少なくとも１つに基づいて定められる前記第１期間内に、前記電源ラインに流れる電流の電流値に基づいて、前記第１閾値を設定する、請求項１に記載の異常判定装置。
【請求項３】
前記設定部は、複数の前記遊技機島のそれぞれの前記電源ラインごとに前記第１閾値を設定する、請求項２に記載の異常判定装置。
【請求項４】
前記設定部は、前記第１期間内に前記電源ラインに流れる電流の電流値に基づいて、前記電源ラインの第１レベルの異常を判定するための前記第１閾値、及び前記電源ラインの前記第１レベルより高い第２レベルの異常を判定するための第２閾値を設定し、
前記判定部は、前記第１期間の後に前記電源ラインに流れる電流の電流値が前記第１閾値と前記第２閾値との間の場合、前記電源ラインの前記第１レベルの異常があると判定し、前記第１期間の後に前記電源ラインに流れる電流の電流値が前記第２閾値以上の場合、前記電源ラインの前記第２レベルの異常があると判定する、請求項１から３のいずれか１つに記載の異常判定装置。
【請求項５】
前記判定部は、前記第１期間の後に前記電源ラインに流れる電流の電流値と、前記第１閾値とに基づいて、前記電源ラインのレアショートに関する異常を前記電源ラインの異常として判定する、請求項１から４の何れか１つに記載の異常判定装置。
【請求項６】
前記設定部は、前記第１期間内に前記電源ラインに流れる電流の最大電流値に基づいて、前記第１閾値を設定する、請求項１から５の何れか１つに記載の異常判定装置。
【請求項７】
前記電源ラインに流れる電流の電流値の単位時間あたりの変化量を導出する導出部をさらに備え、
前記判定部は、前記変化量と、予め定められた第３閾値とに基づいて、前記電源ラインに予め定められた電圧を出力する変圧器と前記電源ラインとを接続する端子の異常をさらに判定する、請求項１から６の何れか１つに記載の異常判定装置。
【請求項８】
前記判定部は、前記変化量と、前記第３閾値とに基づいて、前記端子の接触不良に関する異常を前記端子の異常として判定する、請求項７に記載の異常判定装置。
【請求項９】
請求項１から８の何れか１つに記載の異常判定装置と、
前記電源ラインに流れる電流の電流値を検出する電流センサと、
前記電源ラインに流れる電流の電流値を示す情報を前記電流センサから受信し、前記情報を前記異常判定装置に送信する通信装置と、
を備える異常判定システム。
【請求項１０】
第１遊技機島に含まれる複数の遊技機に電力を供給する第１電源ラインに流れる電流の電流値を検出する第１電流センサと、
第２遊技機島に含まれる複数の遊技機に電力を供給する第２電源ラインに流れる電流の電流値を検出する第２電流センサと、
前記第１電流センサにより検出される電流値と、前記第１電源ラインに対して予め定められた第１閾値とに基づいて、前記第１電源ラインの異常を判定し、前記第２電流センサにより判定される電流値と、前記第２電源ラインに対して予め定められた第２閾値とに基づいて、前記第２電源ラインの異常を判定する判定部と
を備える異常判定システム。
【請求項１１】
前記判定部は、前記第１電流センサにより検出される電流値と前記第１閾値とに基づいて、前記第１電源ラインのレアショートに関する異常を前記第１電源ラインの異常として判定し、前記第２電流センサにより検出される電流値と前記第２閾値とに基づいて、前記第２電源ラインのレアショートに関する異常を前記第２電源ラインの異常として判定する、請求項１０に記載の異常判定システム。
【請求項１２】
前記判定部は、
前記第１電流センサにより検出される電流値が前記第１閾値と、前記第１閾値より大きい第３閾値との間の場合、前記第１電源ラインの第１レベルの異常があると判定し、前記第１電流センサにより検出される電流値が前記第３閾値以上の場合、前記第１電源ラインの前記第１レベルより高い第２レベルの異常があると判定し、
前記第２電流センサにより検出される電流値が前記第２閾値と、前記第２閾値より大きい第４閾値との間の場合、前記第２電源ラインの前記第１レベルの異常があると判定し、前記第２電流センサにより検出される電流値が前記第４閾値以上の場合、前記第２電源ラインの前記第２レベルの異常があると判定する、請求項１０または１１に記載の異常判定システム。
【請求項１３】
前記第１電流センサにより検出される電流値の単位時間あたりの第１変化量、及び前記第２電流センサにより検出される電流値の単位時間あたりの第２変化量を導出する導出部をさらに備え、
前記判定部は、さらに、前記第１変化量と、予め定められた第５閾値とに基づいて、前記第１電源ラインに予め定められた電圧を出力する第１変圧器と前記第１電源ラインとを接続する第１端子の異常を判定し、前記第２変化量と、予め定められた第６閾値とに基づいて、前記第２電源ラインに予め定められた電圧を出力する第２変圧器と前記第２電源ラインとを接続する第２端子の異常を判定する、請求項１０から１２の何れか１つに記載の異常判定システム。
【請求項１４】
複数の遊技機に電力を供給する電源ラインへの電力の供給が開始されてから第１期間内に前記電源ラインに流れる電流の電流値に基づいて、前記電源ラインの異常を判定するための第１閾値を設定する段階と、
前記第１期間の後に前記電源ラインに流れる電流の電流値と前記第１閾値とに基づいて、前記電源ラインの異常を判定する段階と
を備える異常判定方法。
【請求項１５】
請求項１から８の何れか１つに記載の異常判定装置としてコンピュータを機能させるためのプログラム。
【発明の詳細な説明】
【技術分野】
【０００１】
本発明は、異常判定装置、異常判定システム、異常判定方法、及びプログラムに関する。
【背景技術】
【０００２】
特許文献１には、複数の遊技機が設けられた遊技機島への電源供給を行うための島電源の電源供給異常を検出するシステムが開示されている。
特許文献１  特開２００４−６５４９５号公報
【発明の概要】
【発明が解決しようとする課題】
【０００３】
引用文献１に記載のシステムによれば、複数の遊技機に電力を供給する電源ラインの異常を判定することは考慮されていない。
【課題を解決するための手段】
【０００４】
本発明の一態様に係る異常判定装置は、複数の遊技機に電力を供給する電源ラインへの電力の供給が開始されてから第１期間内に電源ラインに流れる電流の電流値に基づいて、電源ラインの異常を判定するための第１閾値を設定する設定部を備えてよい。異常判定装置は、第１期間の後に電源ラインに流れる電流の電流値と第１閾値とに基づいて、電源ラインの異常を判定する判定部を備えてよい。
【０００５】
電源ラインからの電力は、複数の台間機及び複数の台ランプに供給されてよい。複数の遊技機、複数の台間機、及び複数の台ランプにより、遊技機島が構成されてよい。設定部は、電源ラインへの電力の供給が開始されてから、複数の遊技機により実行される初期動作が終了するまでの期間、複数の台間機により実行される初期動作が終了するまでの期間及び複数の台ランプにより実行される初期動作が終了するまでの期間の少なくとも１つに基づいて定められる第１期間内に、電源ラインに流れる電流の電流値に基づいて、第１閾値を設定してよい。
【０００６】
設定部は、複数の遊技機島のそれぞれの電源ラインごとに第１閾値を設定してよい。
【０００７】
設定部は、第１期間内に電源ラインに流れる電流の電流値に基づいて、電源ラインの第１レベルの異常を判定するための第１閾値、及び電源ラインの第１レベルより高い第２レベルの異常を判定するための第２閾値を設定してよい。
【０００８】
判定部は、第１期間の後に電源ラインに流れる電流の電流値が第１閾値と第２閾値との間の場合、電源ラインの第１レベルの異常があると判定してよい。判定部は、第１期間の後に電源ラインに流れる電流の電流値が第２閾値以上の場合、電源ラインの第２レベルの異常があると判定してよい。
【０００９】
判定部は、第１期間の後に電源ラインに流れる電流の電流値と、第１閾値とに基づいて、電源ラインのレアショートに関する異常を電源ラインの異常として判定してよい。
【００１０】
設定部は、第１期間内に電源ラインに流れる電流の最大電流値に基づいて、第１閾値を設定してよい。
【００１１】
異常判定装置は、電源ラインに流れる電流の電流値の単位時間あたりの変化量を導出する導出部を備えてよい。判定部は、変化量と、予め定められた第３閾値とに基づいて、電源ラインに予め定められた電圧を出力する変圧器と電源ラインとを接続する端子の異常を判定してよい。
【００１２】
判定部は、変化量と第３閾値とに基づいて、端子の接触不良に関する異常を端子の異常として判定してよい。
【００１３】
本発明の一態様に係る異常判定システムは、上記異常判定装置を備えてよい。システムは、電源ラインに流れる電流の電流値を検出する電流センサを備えてよい。システムは、電源ラインに流れる電流の電流値を示す情報を電流センサから受信し、情報を異常判定装置に送信する通信装置を備えてよい。
【００１４】
本発明の一態様に係る異常判定システムは、第１遊技機島に含まれる複数の遊技機に電力を供給する第１電源ラインに流れる電流の電流値を検出する第１電流センサを備えてよい。異常判定システムは、第２遊技機島に含まれる複数の遊技機に電力を供給する第２電源ラインに流れる電流の電流値を検出する第２電流センサを備えてよい。判定部は、第１電流センサにより検出される電流値と、第１電源ラインに対して予め定められた第１閾値とに基づいて、第１電源ラインの異常を判定してよい。判定部は、第２電流センサにより判定される電流値と、第２電源ラインに対して予め定められた第２閾値とに基づいて、第２電源ラインの異常を判定してよい。
【００１５】
判定部は、第１電流センサにより検出される電流値と第１閾値とに基づいて、第１電源ラインのレアショートに関する異常を第１電源ラインの異常として判定してよい。判定部は、第２電流センサにより検出される電流値と第２閾値とに基づいて、第２電源ラインのレアショートに関する異常を第２電源ラインの異常として判定してよい。
【００１６】
判定部は、第１電流センサにより検出される電流値が第１閾値と、第１閾値より大きい第３閾値との間の場合、第１電源ラインの第１レベルの異常があると判定してよい。判定部は、第１電流センサにより検出される電流値が第３閾値以上の場合、第１電源ラインの第１レベルより高い第２レベルの異常があると判定してよい。判定部は、第２電流センサにより検出される電流値が第２閾値と、第２閾値より大きい第４閾値との間の場合、第２電源ラインの第１レベルの異常があると判定してよい。判定部は、第２電流センサにより検出される電流値が第４閾値以上の場合、第２電源ラインの第２レベルの異常があると判定してよい。
【００１７】
異常判定システムは、第１電流センサにより検出される電流値の単位時間あたりの第１変化量、及び第２電流センサにより検出される電流値の単位時間あたりの第２変化量を導出する導出部を備えてよい。判定部は、さらに、第１変化量と、予め定められた第５閾値とに基づいて、第１電源ラインに予め定められた電圧を出力する第１変圧器と第１電源ラインとを接続する第１端子の異常を判定してよい。判定部は、第２変化量と、予め定められた第６閾値とに基づいて、第２電源ラインに予め定められた電圧を出力する第２変圧器と第２電源ラインとを接続する第２端子の異常を判定してよい。
【００１８】
本発明の一態様に係る異常判定方法は、複数の遊技機に電力を供給する電源ラインへの電力の供給が開始されてから第１期間内に電源ラインに流れる電流の電流値に基づいて、電源ラインの異常を判定するための第１閾値を設定する段階を備えてよい。異常判定方法は、第１期間の後に電源ラインに流れる電流の電流値と第１閾値とに基づいて、電源ラインの異常を判定する段階を備えてよい。
【００１９】
本発明の一態様に係るプログラムは、上記異常判定装置としてコンピュータを機能させるためのプログラムでよい。
【００２０】
なお、上記の発明の概要は、本発明の必要な特徴の全てを列挙したものではない。また、これらの特徴群のサブコンビネーションもまた、発明となりうる。
【図面の簡単な説明】
【００２１】
【図１】遊技店システムのシステム構成の一例を示す図である。
【図２】遊技店システムの機能ブロックの一例を示す図である。
【図３】電流センサの処理手順の一例を示すフローチャートである。
【図４】受信機の処理手順の一例を示すフローチャートである。
【図５】受信機管理ＤＢに登録される受信機の設定情報の一例を示す図である。
【図６】受信機管理ＤＢに登録される電流センサの測定情報の一例を示す図である。
【図７】電源ライン管理ＤＢに登録される測定情報の一例を示す図である。
【図８】遊技機島内の各機器に電力が供給されたときに島電源ラインに流れる電流の様子を示す図である。
【図９】電源ライン管理ＤＢに格納される設定情報の一例を示す図である。
【図１０】設定部がレアショート判定閾値を設定する処理手順の一例を示すフローチャートである。
【図１１】電源ライン管理装置により実行される異常判定処理の手順の一例を示すフローチャートである。
【図１２】島電源ラインの異常の登録処理の手順の一例を示す図である。
【図１３】島電源ラインのレアショートの異常判定処理の手順の一例を示すフローチャートである。
【図１４】電流センサにより検出される電流の実効値の変化の様子を示す図である。
【図１５】島電源ラインの接続端子の接触不良の異常判定の処理手順の一例を示すフローチャートである。
【図１６】電流センサにより検出される電流の実効値の時間的変化の様子の一例を示す図である。
【図１７】島電源ラインの異常の有無に関する異常管理テーブルの一例を示す図である。
【図１８】島電源ラインごとに異常が発生した際の通知先を示す通知先テーブルの一例を示す図である。
【図１９】島電源ラインの異常の内容及び注意レベルに応じた通知先ごとのメッセージを示す通知メッセージテーブルの一例を示す図である。
【図２０】遊技店管理装置により実行される処理の手順の一例を示すフローチャートである。
【図２１】ハードウェア構成の一例について説明するための図である。
【発明を実施するための形態】
【００２２】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２３】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２４】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２５】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２６】
図１は、遊技店システム１０のシステム構成の一例を示す図である。遊技店システム１０は、電源ライン管理装置１００、複数の遊技機島３００、遊技店管理装置２００、及び通信端末８０を備える。遊技機島３００は、複数の遊技機２０、複数の台間機２２、複数の台ランプ３０を有する。複数の遊技機２０、複数の台間機２２、及び複数の台ランプ３０は、通信ラインＬ２を介して遊技店管理装置２００と通信する。
【００２７】
遊技機２０は、例えば、パチンコ機またはスロットマシンである。台間機２２は、遊技者が遊技機２０で遊技する場合に、プリペイドカードなどの記録媒体、または現金などにより遊技者が指定した点数、金額などを受け付け、受け付けた点数、金額などに応じた数量の遊技媒体を貸し出す。台間機２２は、貸し出した遊技媒体の数量の情報を遊技店管理装置２００に供給する。台ランプ３０は、遊技機２０に併設されている。台ランプ３０は、遊技機２０の使用状態などを表示する。遊技機２０の使用状態は、例えば、出玉履歴、大当たり履歴などの遊技機２０の遊技履歴、遊技機２０の使用の可否などを含む。台ランプ３０は、遊技者に対する各種情報を表示してよい。遊技店管理装置２００は、いわゆるホールコンピュータであり、遊技機２０の動作を監視する。遊技店管理装置２００は、遊技機２０の出玉またはメダルの払い出しの情報、遊技機２０のエラー情報などを管理する。通信端末８０は、遊技店管理装置２００と通信する。通信端末８０は、遊技店管理装置２００から提供された情報を通知してよい。遊技機島３００を担当する遊技店の店員が通信端末８０を保持してよい。通信端末８０は、遊技店管理装置２００から提供される情報を表示してよい。通信端末８０は、遊技店管理装置２００から提供されるメッセージを音声で出力してよい。通信端末８０は、タブレット端末、インターカムなどの無線機でよい。通信端末８０は、遊技機島３００ごとに設けられてよい。
【００２８】
遊技店システム１０は、遊技機島３００ごとに、少なくとも１つの変圧器５０を備える。変圧器５０は、電源スイッチ４０を介して系統電源ラインＬ１に接続されている。変圧器５０は、電源スイッチ４０を介して系統電源ラインＬ１からの電力を受け取る。変圧器５０は、電源スイッチ４０を介して印加された電圧を予め定められた電圧に変換して、島電源ラインＬ３に出力する。変圧器５０は、例えば、１００Ｖの交流を、２４Ｖの交流に島電源ラインＬ３には、複数の遊技機２０、複数の台間機２２、及び複数の台ランプ３０が接続されている。変圧器５０から出力される予め定められた電圧が、島電源ラインＬ３を介して、複数の遊技機２０、複数の台間機２２、及び複数の台ランプ３０に印加される。島電源ラインＬ３は、電源ラインの一例である。本実施形態では、遊技機島３００は、１つの島電源ラインＬ３を有するが、複数の島電源ラインＬ３を有し、複数の島電源ラインＬ３のそれぞれの配下に複数の遊技機２０、複数の台間機２２、複数の台ランプ３０が配置されてもよい。
【００２９】
このように構成された遊技店システム１０において、短絡などの不具合で島電源ラインＬ３に過電流が流れる可能性がある。島電源ラインＬ３に過電流が流れると、島電源ラインＬ３が発熱する可能性がある。島電源ラインＬ３には、ヒューズが設けられている。島電源ラインＬ３に過電流が流れるとヒューズが切れ、複数の遊技機２０、複数の台間機２２、及び複数の台ランプ３０への電力の供給が停止される。しかしながら、島電源ラインＬ３のレアショート（層間短絡）、島電源ラインＬ３と変圧器５０とを接続する接続端子の接触不良などにより、島電源ラインＬ３に、ヒューズが切れるほどでもない大きさの過電流が流れる可能性がある。このような電流が島電源ラインＬ３に流れている間、複数の遊技機２０、複数の台間機２２、及び複数の台ランプ３０への電力の供給は継続される。すなわち、このような電流が島電源ラインＬ３に流れている間、遊技者は遊技機２０での遊技を継続できてしまう。しかしながら、このような電流が島電源ラインＬ３に流れていると、島電源ラインＬ３のレアショートが生じている部分、または接続端子の部分が発熱する。発熱が継続すると、その部分で発煙または発火などが生じるおそれがある。
【００３０】
そこで、本実施形態では、島電源ラインＬ３のレアショート及び接触不良などの異常を判定できる異常判定システムを提供する。
【００３１】
遊技店システム１０は、島電源ラインＬ３の状態を管理する電源ライン管理装置１００、及び島電源ラインＬ３の電流値を検出する電流センサ６０を備える。電流センサ６０は、電流が流れることで変化する磁場の変化を測定することで電流値を計測するクランプメータ（架線電流計）でよい。電流センサ６０は、変圧器５０から出力され、島電源ラインＬ３に流れる電流の電流値を検出する。電流センサ６０は、受信機７０と通信する。電流センサ６０は、無線で受信機７０と通信してよい。電流センサ６０は、通信先として予め設定されている受信機７０に、島電源ラインＬ３の電流値を示す測定情報を送信する。受信機７０は、電流センサ６０から受信した測定情報を電源ライン管理装置１００に提供する。電源ライン管理装置１００は、測定情報に基づいて、島電源ラインＬ３のレアショートの有無、及び島電源ラインＬ３と変圧器５０との間の接続端子の接触不良の有無を判定する。
【００３２】
図２は、遊技店システム１０の機能ブロックの一例を示す。台ランプ３０は、受信部３２、制御部３４、及び表示部３６を有する。受信部３２は、遊技店管理装置２００からの各種情報を受信する。制御部３４は、受信部３２及び表示部３６を制御する。表示部３６は、受信部３２により受信された各種情報を表示する。通信端末８０は、受信部８２、制御部８４、及び表示部８６を有する。受信部８２は、遊技店管理装置２００からの各種情報を受信する。制御部８４は、受信部８２及び表示部８６を制御する。表示部３６は、遊技店管理装置２００からの各種情報を表示する。遊技店管理装置２００は、通信部２１０、及び遊技店管理ＤＢ２３０を有する。遊技店管理ＤＢ２３０は、遊技店システム１０に関する各種情報を格納する。遊技店管理ＤＢ２３０は、島電源ラインＬ３の異常に関する情報を格納する。通信部２１０は、受信部２１２、及び送信部２１４を含む。受信部２１２は、電源ライン管理装置１００からのデータを受信する。送信部２１４は、遊技店管理ＤＢ２３０に登録された情報を通信端末８０及び台ランプ３０に送信する。
【００３３】
電流センサ６０は、計側部６２、設定部６４、及び送信部６６を備える。計側部６２は、変圧器５０から出力され、島電源ラインＬ３に流れる電流の電流値を計測する。島電源ラインＬ３に流れる電流は交流であり、計側部６２は、計測された電流値に基づいて交流電流の実効値を計算してよい。設定部６４は、電流センサ６０を一意に特定する電流センサＩＤ、及び電流センサ６０が通信する受信機７０と接続するための接続情報を設定する。送信部６６は、計側部６２に計測された電流の実効値、及び計側部６２が計測した時刻を示す測定情報を、自身を一意に特定する電流センサＩＤと共に、予め定められた宛先である受信機７０に送信する。電流センサ６０は、予め定められた間隔（１０ｍｓｅｃ）ごとに、計側部６２により計測された電流の実効値を示す測定情報を受信機７０に送信してよい。
【００３４】
図３は、電流センサ６０の処理手順の一例を示すフローチャートである。計側部６２は、島電源ラインＬ３に流れる電流の電流値を計測する（Ｓ１００）。計側部６２は、計測された電流の電流値に基づいて、電流の実効値を計算する（Ｓ１０２）。送信部６６は、電流の実効値、及び測定時刻を示す測定情報を受信機７０に送信する（Ｓ１０４）。以上の処理により、電流センサ６０は、順次、島電源ラインＬ３に流れる電流の電流値を検知する。
【００３５】
受信機７０は、電流センサ通信部７２、受信機管理ＤＢ７４、及び管理装置通信部７６を有する。電流センサ通信部７２は、受信部７３を含む。受信部７３は、電流センサ６０から電流の測定情報を受信する。電流センサ通信部７２は、受信部７３で受信した測定情報を電流センサＩＤと関連付けて受信機管理ＤＢ７４に登録する。受信機管理ＤＢ７４は、受信機７０が受信する電流センサ６０ごとに電流の測定情報を格納する。管理装置通信部７６は、受信部７７、及び送信部７８を含む。受信部７７は、電源ライン管理装置１００からのデータを受信する。受信部７７は、電源ライン管理装置１００から受信機７０を一意に識別する受信機管理コードを受信する。受信機７０は、受信機管理コードを受信機管理ＤＢ７４に登録する。送信部７８は、受信機管理ＤＢ７４に登録された電流センサ６０の測定情報を電源ライン管理装置１００に送信する。送信部７８は、電源ライン管理装置１００からの要求に応じて受信機管理ＤＢ７４に登録された電流センサ６０の測定情報を電源ライン管理装置１００に送信してよい。
【００３６】
図４は、受信機７０の処理手順の一例を示すフローチャートである。受信機７０は、電源ライン管理装置１００からデータを受信したか否かを判定する（Ｓ２００）。受信機７０は、電源ライン管理装置１００からデータを受信していなければ、電流センサ６０からのデータを受信したか否かを判定する（Ｓ２０２）。受信機７０は、電流センサ６０からデータを受信していなければ、ステップ２００以降の処理を繰り返す。受信機７０は、電流センサ６０からデータを受信していれば、電流センサ通信部７２は、受信部７３で受信した電流センサ６０の電流の測定情報を受信機管理ＤＢ７４に登録する（Ｓ２０４）。
【００３７】
受信機７０は、電源ライン管理装置１００からデータを受信していれば、そのデータが設定情報であるか否かを判定する（Ｓ２０６）。そのデータが設定情報であれば、受信機７０は、設定情報を受信機管理ＤＢ７４に登録する。受信機７０は、設定情報として、受信機７０を一意に特定する受信機管理コードを受信機管理ＤＢ７４に登録してよい。
【００３８】
電源ライン管理装置１００からのデータが設定情報でなければ、受信機７０は、受信機管理ＤＢ７４から電流センサ６０の測定情報を取得し（Ｓ２１０）、その測定情報を電源ライン管理装置１００に送信する（Ｓ２１２）。受信機７０は、電源ライン管理装置１００に正常に測定情報が送信されたことに対応して、受信機管理ＤＢ７４に登録された測定情報を削除してもよい。
【００３９】
以上の処理により、受信機７０は、電流センサ６０から受信した測定情報を順次電源ライン管理装置１００に送信する。なお、受信機７０は、複数の電流センサ６０から測定情報を受信し、複数の電流センサ６０のそれぞれの測定情報を電源ライン管理装置１００に送信してもよい。
【００４０】
図５は、受信機管理ＤＢ７４に登録される受信機７０の設定情報の一例を示す。設定情報は、電源ライン管理装置１００から設定情報を受信した時点の時刻情報と、受信機管理コードとを含んでよい。
【００４１】
図６は、受信機管理ＤＢ７４に登録される電流センサ６０の測定情報の一例を示す。測定情報は、電流センサ６０の電流センサＩＤ、電流センサ６０により電流の実効値が測定された時刻、及び電流センサ６０により測定された電流の実効値を含んでよい。
【００４２】
電源ライン管理装置１００は、受信機通信部１１０、設定部１２０、電源ライン管理ＤＢ１３０、判定部１２２、登録部１２４、及び通信部１２６を有する。受信機通信部１１０は、受信部１１２、及び送信部１１４を含む。受信部１１２は、受信機７０から電流センサ６０の測定情報を受信する。受信機通信部１１０は、測定情報を受信した受信機７０の受信管理コードと、測定情報の提供元の電流センサ６０の電流センサＩＤと、測定情報とを関連付けて電源ライン管理ＤＢ１３０に登録する。図７は、電源ライン管理ＤＢ１３０に登録される測定情報の一例を示す。電源ライン管理ＤＢ１３０は、受信機管理コードＩＤ、電流センサＩＤ、及び測定情報を関連付けて格納してよい。
【００４３】
判定部１２２は、電源ライン管理ＤＢ１３０に登録された測定情報に示される電流の実効値に基づいて、島電源ラインＬ３の異常の有無を判定する。より具体的には、判定部１２２は、島電源ラインＬ３のレアショートの有無、及び島電源ラインＬ３と変圧器５０との間の接続端子の接触不良の有無を判定する。登録部１２４は、判定部１２２による判定結果を電源ライン管理ＤＢ１３０に登録する。通信部１２６は、判定部１２２による判定結果に基づいて、島電源ラインＬ３のレアショートまたは変圧器５０の接続端子の接触不良が発生している可能性があると判断した場合には、その旨を遊技店管理装置２００に通知する。通信部１２６は、異常が発生している遊技機島３００の識別情報、及び異常の内容を遊技店管理装置２００に通知してよい。
【００４４】
判定部１２２は、予め定められた閾値と、測定情報に示される電流の実効値とを比較することで、島電源ラインＬ３のレアショートの有無を判定してよい。島電源ラインＬ３のレアショートが発生している場合、島電源ラインＬ３に比較的大きな電流が流れる。そこで、判定部１２２は、電流の実効値が予め定められた閾値を超えるか否かにより、島電源ラインＬ３のレアショートの有無を判定してよい。
【００４５】
ここで、遊技機島３００に含まれる遊技機２０、台間機２２、及び台ランプ３０の台数は、遊技機島３００ごとに異なる。遊技機２０、台間機２２、及び台ランプ３０の種類によって、消費電力も異なる。したがって、島電源ラインＬ３に流れる電流の大きさも遊技機島３００ごとに異なる。よって、判定部１２２が、遊技機島３００のそれぞれに共通の閾値に基づいて、島電源ラインＬ３のレアショートの有無を判定すると、島電源ラインＬ３に接続された遊技機２０などの台数などによって、判定の精度が低下する可能性がある。そこで、判定部１２２は、島電源ラインＬ３ごとの閾値に基づいて、島電源ラインＬ３ごとにレアショートの有無を判定してよい。
【００４６】
判定部１２２は、電流センサＩＤ「００１」の電流センサ６０（００１）により検出される電流値と、電流センサＩＤ「００１」に対応する島電源ラインＬ３に対して予め定められた閾値Ｔｈ１（００１）とに基づいて、電流センサＩＤ「００１」に対応する島電源ラインＬ３（００１）のレアショートに関する異常を、島電源ラインＬ３（００１）の異常として判定してよい。判定部１２２は、電流センサＩＤ「００２」の電流センサ６０（００２）により判定される電流値と、電流センサＩＤ「００２」に対応する島電源ラインＬ３（００２）に対して予め定められた閾値Ｔｈ１（００２）とに基づいて、島電源ラインＬ３（００２）のレアショートに関する異常を、島電源ラインＬ３（００２）の異常として判定してよい。
【００４７】
判定部１２２は、大きさの異なる２つの閾値に従って、段階的に島電源ラインＬ３の異常を判定してよい。判定部１２２は、電流値が第１閾値と、第１閾値より大きい第２閾値との間の場合、島電源ラインＬ３の第１レベルの異常があると判定してよい。さらに、判定部１２２は、電流値が第２閾値以上の場合、島電源ラインＬ３の第２レベルの異常があると判定してよい。第１レベルの異常は、遊技店の店員のみに知らせるべき、比較的注意度合いが低い異常でよい。第２のレベルの異常は、店員のほかに遊技者にも知らせるべき、比較的注意度合いが高い異常でよい。
【００４８】
判定部１２２は、電流センサ６０（００１）により検出される電流値が閾値Ｔｈ１（００１）と、閾値Ｔｈ１（００１）より大きい閾値Ｔｈ２（００１）との間の場合、島電源ラインＬ３（００１）に第１レベルの異常があると判定してよい。判定部１２２は、電流センサ６０（００１）により検出される電流値が閾値Ｔｈ２（００１）以上の場合、島電源ラインＬ３（００１）に第１レベルより高い第２レベルの異常があると判定してよい。
【００４９】
判定部１２２は、電流センサ６０（００２）により検出される電流値が閾値Ｔｈ１（００２）と、閾値Ｔｈ１（００２）より大きい閾値Ｔｈ２（００２）との間の場合、島電源ラインＬ３（００２）に第１レベルの異常があると判定してよい。判定部１２２は、電流センサ６０（００１）により検出される電流値が閾値Ｔｈ２（００２）以上の場合、島電源ラインＬ３に第２レベルの異常があると判定してよい。
【００５０】
判定部１２２は、島電源ラインＬ３に流れる電流の電流値の単位時間あたりの変化量と、島電源ラインＬ３に対して予め定められた閾値Ｔｈ３とに基づいて、変圧器５０と島電源ラインＬ３とを接続する端子の異常を判定してよい。判定部１２２は、電流センサ６０（００１）により測定された電流値の単位時間当たりの変化量（００１）と、島電源ラインＬ３（００１）に対して予め定められた閾値Ｔｈ３（００１）とに基づいて、島電源ラインＬ３（００１）の変圧器５０（００１）と島電源ラインＬ３（００１）とを接続する端子（００１）の異常を判定してよい。判定部１２２は、電流センサ６０（００２）により測定された電流値の単位時間当たりの変化量（００２）と、島電源ラインＬ３（００２）に対して予め定められた閾値Ｔｈ３（００２）とに基づいて、島電源ラインＬ３の変圧器５０（００２）と島電源ラインＬ３（００２）とを接続する端子（００２）の異常を判定してよい。
【００５１】
一般的に、遊技店では、営業日ごとに開店前に、それぞれの遊技機島３００の電源がオンされ、遊技機島３００内の遊技機２０、台間機２２、及び台ランプ３０などのそれぞれの機器に電力が供給される。遊技機島３００内の電源スイッチ４０がオンされ、変圧器５０に電力が供給されると、それぞれの機器に電力が供給される。
【００５２】
図８は、遊技機島３００内の複数の遊技機２０、複数の台間機２２、及び複数の台ランプ３０などの各機器に電力が供給されたときに島電源ラインＬ３に流れる電流の様子を示す。複数の遊技機２０、複数の台間機２２、及び複数の台ランプ３０は、変圧器５０からの電力の供給が開始されると、一斉に初期動作を実行する。例えば、遊技機２０は、役物などの可動部を動作させるための複数のモータを備える。複数のモータは、初期動作で、一斉に作動して、異常の有無がチェックされる。したがって、島電源ラインＬ３に流れる電流は、変圧器５０に電源が投入されてから遊技機島３００のそれぞれの機器が初期動作している期間Ｔが最も大きい（符号５００で示す部分）。その電流の大きさは、遊技機島３００に含まれる機器の台数、機器の種類などによって異なる。遊技店システム１０が稼働中に、島電源ラインＬ３に流れる電流の電流値が、遊技機島３００内の機器の初期動作のときに島電源ラインＬ３に流れる電流の電流値よりも小さければ、島電源ラインＬ３に異常が発生している可能性は低い。そこで、島電源ラインＬ３の異常の有無の判定に用いる閾値は、遊技機島３００内の機器の初期動作のときに島電源ラインＬ３に流れる電流の電流値に基づいて定められることが好ましい。より具体的には、島電源ラインＬ３の異常の有無の判定に用いる閾値は、遊技機島３００内の機器の初期動作のときに島電源ラインＬ３に流れる電流の最大電流値に基づいて定められることが好ましい。
【００５３】
設定部１２０は、遊技機島３００内の島電源ラインＬ３の異常を判定するための閾値Ｔｈ１を設定する。設定部１２０は、複数の遊技機島３００のそれぞれの島電源ラインＬ３ごとに閾値Ｔｈ１を設定してよい。設定部１２０は、遊技機島３００内の複数の遊技機２０に電力を供給する島電源ラインＬ３への電力の供給が開始されてから予め定められた期間Ｔ内に島電源ラインＬ３に流れる電流の電流値に基づいて、島電源ラインＬ３の異常を判定するための閾値Ｔｈ１を設定してよい。設定部１２０は、島電源ラインＬ３への電力の供給が開始されてから、遊技機島３００内の複数の遊技機２０により実行される初期動作が終了するまでの期間、遊技機島３００内の複数の台間機２２により実行される初期動作が終了するまでの期間及び遊技機島３００内の複数の台ランプ３０により実行される初期動作が終了するまでの期間の少なくとも１つに基づいて定められる期間Ｔ内に、島電源ラインＬ３に流れる電流の電流値に基づいて、閾値Ｔｈ１を設定してよい。設定部１２０は、期間Ｔ内に島電源ラインＬ３に流れる電流の電流値に基づいて、島電源ラインＬ３の第１レベルの異常を判定するための閾値Ｔｈ１、及び島電源ラインＬ３の第１レベルより高い第２レベルの異常を判定するための閾値Ｔｈ２を設定してよい。設定部１２０は、閾値Ｔｈ１に基づいて、閾値Ｔｈ２を設定してよい。設定部１２０は、閾値Ｔｈ１に対して予め定められた割合だけ大きい値を、閾値Ｔｈ２に設定してよい。設定部１２０は、例えば、閾値Ｔｈ１の１．５倍の値を、閾値Ｔｈ２に設定してよい。それぞれの機器の初期動作が終了するまでの期間は、それぞれの機器が初期動作したときに実際に測定された期間から特定されてよい。期間Ｔは、遊技機２０の初期動作の期間、台間機２２の初期動作の期間、及び台ランプ３０の初期動作の期間のうち最も長い期間に基づいて定められてよい。期間Ｔは、第１期間の一例である。
【００５４】
設定部１２０は、さらに、変圧器５０の接続端子の接触不良を判定するための予め定められた閾値Ｔｈ３を設定してよい。設定部１２０は、ユーザからの入力に基づいて、閾値Ｔｈ３を設定してよい。設定部１２０は、変圧器５０の接続端子の接触不良の第１レベルの異常を判定するための閾値Ｔｈ３、及び変圧器５０の接続端子の接触不良の第１レベルより高い第２レベルの異常を判定するための、閾値Ｔｈ３より大きい閾値Ｔｈ４を設定してよい。設定部１２０は、ユーザからの入力に基づいて、閾値Ｔｈ３及び閾値Ｔｈ４を設定してよい。閾値Ｔｈ３及び閾値Ｔｈ４は、遊技機島３００内の機器の台数及び種類を変えて実際に接触不良が発生しているときに測定された電流値の測定データに基づいて、遊技機島３００ごとに定められてよい。
【００５５】
図９は、電源ライン管理ＤＢ１３０に格納される設定情報の一例を示す。電源ライン管理ＤＢ１３０は、島電源ラインＬ３ごとの閾値Ｔｈ１、Ｔｈ２、Ｔｈ３、及びＴｈ４、受信機管理コード、及び電流センサＩＤを関連付けて格納してよい。
【００５６】
図１０は、設定部１２０がレアショート判定閾値を設定する処理手順の一例を示すフローチャートである。設定部１２０は、遊技機島３００ごとに、この処理手順を実行する。
【００５７】
設定部１２０は、電源ライン管理ＤＢ１３０から対象の遊技機島３００の測定情報を読み出す（Ｓ３００）。設定部１２０は、測定情報に基づいて、対象の遊技機島３００への電源の投入があったか否かを判定する（Ｓ３０２）。設定部１２０は、測定情報を参照することで、島電源ラインＬ３に流れる電流の実効値が、０アンペア（Ａ）から予め定められたアンペアまで変化したか否かを判断することで、電源の投入があったか否かを判定してよい。設定部１２０は、島電源ラインＬ３に流れる電流の実効値が、０Ａから１０Ａ以上まで変化したか否かにより、電源の投入があったか否かを判定してよい。
【００５８】
電源の投入があった場合には、設定部１２０は、電源の投入から期間Ｔが経過したか否かを判定する（Ｓ３０４）。期間Ｔが経過していれば、設定部１２０は、電源の投入から期間Ｔまでに測定された電流の実効値の中から最大電流値を抽出し、その最大電流値を閾値Ｔｈ１として設定する（Ｓ３０６）。設定部１２０は、さらに、閾値Ｔｈ１の１．５倍の値を閾値Ｔｈ２として設定する（Ｓ３０８）。
【００５９】
以上の通り、設定部１２０は、遊技機島３００に電源が投入されてから遊技機島３００内の機器の初期動作が完了するまでの期間Ｔ内に島電源ラインＬ３に流れる最大電流値に基づいて、島電源ラインＬ３のレアショートに関する異常を判定するための閾値を設定する。これにより、遊技機島３００内の機器の台数または種類が異なる場合でも、設定部１２０は、遊技機島３００ごとに最適な閾値を設定できる。
【００６０】
遊技機島３００の電源の投入は、遊技店が開店する前に、その都度行われる。すなわち、設定部１２０は、遊技店の営業日ごとに、その営業開始前にその都度、遊技機島３００ごとに島電源ラインＬ３のレアショートに関する異常を判定するための閾値を設定してよい。
【００６１】
図１１は、電源ライン管理装置１００により実行される異常判定処理の手順の一例を示すフローチャートである。
【００６２】
電源ライン管理装置１００は、レアショート判定閾値設定処理を実行する（Ｓ４００）。すなわち、設定部１２０が、図１０に示す処理を実行する。設定部１２０は、レアショート判定閾値設定処理の結果、設定されたレアショート判定閾値（閾値Ｔｈ１及び閾値Ｔｈ２）を電源ライン管理ＤＢ１３０に登録する（Ｓ４０２）。受信機通信部１１０は、データ取得時間が経過したか否かを判定する（Ｓ４０４）。受信機通信部１１０は、前回、測定情報を取得してから、予め定められたデータ取得時間（例えば、１秒）が経過したか否かを判定する。データ取得時間が経過してれば、受信機通信部１１０は、受信部１１２を介して、受信機７０から電流センサ６０の測定情報を取得する（Ｓ４０６）。受信機通信部１１０は、測定情報を電源ライン管理ＤＢ１３０に登録する（Ｓ４０８）。次いで、判定部１２２は、電源ライン管理ＤＢ１３０に登録された測定情報を参照して、島電源ラインＬ３の異常判定処理を実行する（Ｓ４１０）。通信部１２６は、電源ライン管理ＤＢ１３０に登録された異常判定結果を参照して、島電源ラインＬ３の異常があるか否かを判定する（Ｓ４１２）。異常がなければ、電源ライン管理装置１００は、ステップＳ４０２以降の処理を繰り返す。異常があれば、通信部１２６は、遊技店管理装置２００に島電源ラインＬ３の異常を通知する（Ｓ４１４）。
【００６３】
図１２は、島電源ラインＬ３の異常の登録処理の手順の一例を示す図である。判定部１２２は、島電源ラインＬ３のレアショートの異常判定処理を実行する（Ｓ５００）。登録部１２４は、島電源ラインＬ３のレアショートの異常があるか否かを判定する（Ｓ５０２）。島電源ラインＬ３のレアショートの異常があれば、登録部１２４は、電源ライン管理ＤＢ１３０に、島電源ラインＬ３のレアショートの異常があることを登録する（Ｓ５０４）。
【００６４】
判定部１２２は、さらに、島電源ラインＬ３の接続端子の接触不良の異常判定処理を実行する（Ｓ５０６）。登録部１２４は、島電源ラインＬ３の接続端子の接触不良の異常があるか否かを判定する（Ｓ５０８）。島電源ラインＬ３の接続端子の接触不良の異常があれば、登録部１２４は、電源ライン管理ＤＢ１３０に、島電源ラインＬ３の接続端子の接触不良の異常があることを登録する（Ｓ５１０）。
【００６５】
図１３は、島電源ラインＬ３のレアショートの異常判定処理の手順の一例を示すフローチャートである。
【００６６】
判定部１２２は、電源ライン管理ＤＢ１３０に登録された測定情報を参照して、対象の電流センサ６０により検出された最新の電流の実効値を取得する（Ｓ６００）。判定部１２２は、その実効値が閾値Ｔｈ２を超えているか否かを判定する（Ｓ６０２）。
【００６７】
その実効値が閾値Ｔｈ２を超えていれば、判定部１２２は、島電源ラインＬ３に第２レベルのレアショートの異常が発生していると判定して、レアショートの異常の注意レベル（高）を電源ライン管理ＤＢ１３０に登録する（Ｓ６０４）。その実効値が閾値Ｔｈ２を超えていなければ、判定部１２２は、その実効値が閾値Ｔｈ１を超えているか否かを判定する（Ｓ６０６）。その実効値が閾値Ｔｈ１を超えていれば、判定部１２２は、島電源ラインＬ３に第１レベルのレアショートの異常が発生していると判定して、レアショートの異常の注意レベル（低）を電源ライン管理ＤＢ１３０に登録する（Ｓ６０８）。一方、その実効値が閾値Ｔｈ１を超えていなければ、判定部１２２は、島電源ラインＬ３のレアショートの異常がないと判定する（Ｓ６１０）。
【００６８】
図１４は、電流センサ６０により検出される電流の実効値の変化の様子を示す図である。判定部１２２は、時間ｔ１〜ｔ５に検出された実効値に基づいて、島電源ラインＬ３のレアショートの異常がないと判定する。判定部１２２は、時間ｔ６で検出された実効値に基づいて、島電源ラインＬ３に第１レベルのレアショートの異常が発生していると判定する。判定部１２２は、時間ｔ７で検出された実効値に基づいて、島電源ラインＬ３に第２レベルのレアショートの異常が発生していると判定する。
【００６９】
図１５は、島電源ラインＬ３の接続端子の接触不良の異常判定の処理手順の一例を示すフローチャートである。判定部１２２は、電源ライン管理ＤＢ１３０に登録された測定情報を参照して、対象の電流センサ６０により検出された電流の実効値を取得する（Ｓ７００）。判定部１２２は、今回の実効値と前回の実効値との差を算出することで、実効値の差分を算出する（Ｓ７０２）。
【００７０】
判定部１２２は、その差分が閾値Ｔｈ４を超えるか否かを判定する（Ｓ７０４）。その差分が閾値Ｔｈ４を超えていれば、島電源ラインＬ３に第２レベルの接触不良の異常が発生している判定して、接触不良の異常の注意レベル（高）を電源ライン管理ＤＢ１３０に登録する（Ｓ７０６）。その差分が閾値Ｔｈ４を超えていなければ、判定部１２２は、その差分が閾値Ｔｈ３を超えているか否かを判定する（Ｓ７０８）。その差分が閾値Ｔｈ３を超えていれば、判定部１２２は、島電源ラインＬ３に第１レベルの接触不良の異常が発生している判定して、接触不良の異常の注意レベル（低）を電源ライン管理ＤＢ１３０に登録する（Ｓ７１０）。その差分が閾値Ｔｈ３を超えていなければ、判定部１２２は、島電源ラインＬ３に接触不良の異常がないと判定する（Ｓ７１２）。
【００７１】
図１６は、電流センサ６０により検出される電流の実効値の時間的変化の様子の一例を示す図である。符号５１０または５１２で示す箇所で、電流の実効値の変動が大きい。このような変動が起きている場合、島電源ラインＬ３の接続端子の接触不良が発生している可能性がある。そこで、判定部１２２は、電流の実効値の変動が大きい場合に、島電源ラインＬ３の接続端子の接触不良の異常があると判定する。すなわち、判定部１２２は、電流の実効値の差分の大きさに応じて、段階的に島電源ラインＬ３の接続端子の接触不良の異常の有無を判定する。
【００７２】
遊技店管理ＤＢ２３０は、図１７に示すような、各島電源ラインＬ３の異常の有無に関する異常管理テーブルを格納する。遊技店管理ＤＢ２３０は、さらに、図１８に示すように、島電源ラインＬ３ごとに異常が発生した際の通知先を示す通知先テーブルを格納する。通知先テーブルは、電流センサＩＤ、遊技機島３００を一意に特定する島コード、受信機７０の受信機管理コード、通知先の台ランプ３０を一意に特定する台ランプＩＤ、及び通知先の通信端末８０を一意に特定する通信端末ＩＤを含む。
【００７３】
遊技店管理ＤＢ２３０は、さらに、図１９に示すように、島電源ラインＬ３の異常の内容及び注意レベルに応じた通知先ごとのメッセージを示す通知メッセージテーブルを格納する。遊技店管理装置２００は、電源ライン管理装置１００の通信部１２６から通知された通知内容に従って、通知内容に応じたメッセージを台ランプ３０及び通信端末８０の少なくとも一方に通知する。
【００７４】
島電源ラインＬ３にレアショートの注意レベル（低）の異常が発生している場合、その異常が発生している島電源ラインＬ３の遊技機島３００（島Ｘ）の近傍に存在する通信端末８０（島Ｘを担当する通信端末８０）に、「島Ｘの電源ラインでレアショートを検出しました、近くにいるスタッフの方は速やかに電源ラインを確認して下さい」という内容のメッセージを通知する。島電源ラインＬ３のレアショートの注意レベル（低）の異常が発生している場合には、遊技店管理装置２００は、異常を知らせるメッセージを台ランプ３０に通知しない。これにより、比較的注意レベルが低い場合に、遊技者に遊技の中断を強制せずに済む。
【００７５】
島電源ラインＬ３にレアショートの注意レベル（高）の異常が発生している場合、遊技店管理装置２００は、全ての通信端末８０に、「島Ｘの電源ラインのレアショートを検出しました。スタッフの方は、島の電源を落として、速やかに店内にいるお客者を避難させて下さい」という内容のメッセージを通知する。さらに、遊技店管理装置２００は、全ての台ランプ３０に、「店内で火災を検知しました。遊技中ではございますが、店内のスタッフの指示に従って、店外へ避難をお願いします」という内容のメッセージを通知する。
【００７６】
島電源ラインＬ３の接続端子に接触不良の注意レベル（低）の異常が発生している場合、その異常が発生している島電源ラインＬ３の遊技機島３００（島Ｘ）の近傍に存在する通信端末８０（島Ｘを担当する通信端末８０）に、「島Ｘの電源ラインで接触不良を検出しました。近くにいるスタッフの方は速やかに接続端子を確認して下さい」という内容のメッセージを通知する。島電源ラインＬ３の接続端子に接触不良の注意レベル（低）の異常が発生している場合には、遊技店管理装置２００は、異常を知らせるためのメッセージを台ランプ３０に通知しない。これにより、比較的注意レベルが低い場合に、遊技者に遊技の中断を強制せずに済む。
【００７７】
島電源ラインＬ３の接続端子に接触不良の注意レベル（高）の異常が発生している場合、遊技店管理装置２００は、全ての通信端末８０に、「島Ｘの電源ラインで接触不良を検出しました、スタッフの方は、島の電源を落とし、速やかに店内にいるお客様を避難させて下さい」という内容のメッセージを通知する。さらに、遊技店管理装置２００は、全ての台ランプ３０に、「店内で火災を検知しました。遊技中ではございますが、店内のスタッフの指示に従って、店外へ避難をお願いします」という内容のメッセージを通知する。
【００７８】
図２０は、遊技店管理装置２００により実行される処理の手順の一例を示すフローチャートである。通信部２１０は、電源ライン管理装置１００の通信部１２６から異常通知を受信したか否かを判定する（Ｓ８００）。異常通知を受信した場合、通信部２１０は、異常情報に基づいて、異常の内容（レアショートまたは接触不良）、異常のレベル（注意レベル（低）または注意レベル（高））、及び異常の発生箇所（電流センサＩＤ）を特定する。通信部２１０は、遊技店管理ＤＢ２３０に格納された図１７に示すような異常管理テーブルに異常情報を登録する（Ｓ８０２）。さらに、遊技店管理装置２００は、異常管理テーブルを参照して、異常があれば、対象の異常メッセージを対象の機器（通信端末８０、または通信端末８０及び台ランプ３０）に配信する（Ｓ８０４）。
【００７９】
以上のように、本実施形態によれば、遊技機島３００内の機器の台数及び種類に応じて、島電源ラインＬ３のレアショートの異常を判定するための閾値を適切に設定できる。よって、遊技機島３００内の機器の台数または種類が異なる場合でも、遊技機島３００ごとに島電源ラインＬ３のレアショートの有無を的確に判定できる。また、島電源ラインＬ３の異常のレベルに応じて、異常メッセージを通知する対象の機器を変更する。これにより、不必要に遊技者に異常メッセージが通知され、遊技の中断を強制することを防止できる。
【００８０】
図２１は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００８１】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００８２】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００８３】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００８４】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００８５】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００８６】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００８７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００８８】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００８９】
１０  遊技店システム
２０  遊技機
２２  台間機
３０  台ランプ
３２  受信部
３４  制御部
３６  表示部
４０  電源スイッチ
５０  変圧器
６０  電流センサ
６２  計側部
６４  設定部
６６  送信部
７０  受信機
７２  電流センサ通信部
７３  受信部
７４  受信機管理ＤＢ
７６  管理装置通信部
７７  受信部
７８  送信部
８０  通信端末
８２  受信部
８４  制御部
８６  表示部
１００  電源ライン管理装置
１１０  受信機通信部
１１２  受信部
１１４  送信部
１２０  設定部
１２２  判定部
１２４  登録部
１２６  通信部
１３０  電源ライン管理ＤＢ
２００  遊技店管理装置
２１０  通信部
２１２  受信部
２１４  送信部
２３０  遊技店管理ＤＢ
３００  遊技機島
Ｌ１  系統電源ライン
Ｌ２  通信ライン
Ｌ３  島電源ライン
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【図１】
2019115435.tif 000003
【図２】
2019115435.tif 000004
【図３】
2019115435.tif 000005
【図４】
2019115435.tif 000006
【図５】
2019115435.tif 000007
【図６】
2019115435.tif 000008
【図７】
2019115435.tif 000009
【図８】
2019115435.tif 000010
【図９】
2019115435.tif 000011
【図１０】
2019115435.tif 000012
【図１１】
2019115435.tif 000013
【図１２】
2019115435.tif 000014
【図１３】
2019115435.tif 000015
【図１４】
2019115435.tif 000016
【図１５】
2019115435.tif 000017
【図１６】
2019115435.tif 000018
【図１７】
2019115435.tif 000019
【図１８】
2019115435.tif 000020
【図１９】
2019115435.tif 000021
【図２０】
2019115435.tif 000022
【図２１】
2019115435.tif 000023